(57)【要約】【課題】  ドロップダウンメニューの操作性と、運用性とを向上させるようにしたメニュー処理プログラムおよび情報処理装置およびメニュー処理方法を提供する。【解決手段】  ドロップダウンメニューに、メニュー表示名、メニュー値を属性として保持する付箋を貼付するとともに、この付箋をメニュー項目として選択すると、付箋は画面上から消え、当該付箋のメニュー表示名が一行表示される。また、選択された付箋からは、属性として設定されたメニュー値が取得され、この取得したメニュー値に応じた処理が行われることになる。【選択図】  図２
2007141057.tif 000002
【特許請求の範囲】
【請求項１】
メニュー項目を有するドロップダウンメニューを表示器に表示するとともに、該ドロップダウンメニューから選択されたメニュー項目に対応するメニュー値を取得する処理をコンピュータに実行させるメニュー処理プログラムであって、
前記ドロップダウンメニューに貼付された付箋を該ドロップダウンメニューと関連付けてメニュー項目として記憶装置に登録する登録処理ステップと、
前記登録処理ステップで前記ドロップダウンメニューと関連付けて登録された付箋を、該ドロップダウンメニューのメニュー項目として前記表示器に表示する表示処理ステップと、
前記表示処理ステップで表示された前記付箋がメニュー項目として選択された場合には、該付箋に対応するメニュー値を取得するメニュー値取得処理ステップと
を含むことを特徴とするメニュー処理プログラム。
【請求項２】
前記表示処理ステップは、
前記ドロップダウンメニューのメニュー項目を表示する場合には、前記関連付けられている付箋を該ドロップダウンメニューに貼付して表示し、該ドロップダウンメニューが閉じられた場合には、該付箋を非表示にする
ことを特徴とする請求項１記載のメニュー処理プログラム。
【請求項３】
前記登録処理ステップは、
少なくともメニュー表示文字列、メニュー値、コメント情報を前記付箋の属性として前記記憶装置に登録し、
前記表示処理ステップは、
前記メニュー表示文字列とともに、前記コメント情報を前記付箋上に表示する
ことを特徴とする請求項１記載のメニュー処理プログラム。
【請求項４】
メニュー項目を有するドロップダウンメニューを表示器に表示するとともに、該ドロップダウンメニューから選択されたメニュー項目に対応するメニュー値を取得する情報処理装置において、
前記ドロップダウンメニューに貼付された付箋を該ドロップダウンメニューと関連付けてメニュー項目として記憶装置に登録する登録処理手段と、
前記登録処理手段で前記ドロップダウンメニューと関連付けて登録された付箋を、該ドロップダウンメニューのメニュー項目として前記表示器に表示する表示処理手段と、
前記表示処理手段で表示された前記付箋がメニュー項目として選択された場合には、該付箋に対応するメニュー値を取得するメニュー値取得処理手段と
を具備することを特徴とする情報処理装置。
【請求項５】
メニュー項目を有するドロップダウンメニューを表示器に表示するとともに、該ドロップダウンメニューから選択されたメニュー項目に対応するメニュー値を取得する情報処理装置のメニュー処理方法において、
前記ドロップダウンメニューに貼付された付箋を該ドロップダウンメニューと関連付けてメニュー項目として記憶装置に登録処理手段で登録し、
前記登録処理手段で前記ドロップダウンメニューと関連付けて登録された付箋を、該ドロップダウンメニューのメニュー項目として前記表示器に表示処理手段で表示し、
前記表示処理手段で表示された前記付箋がメニュー項目として選択された場合には、該付箋に対応するメニュー値をメニュー値取得処理手段で取得する
ことを特徴とする情報処理装置のメニュー処理方法。
【発明の詳細な説明】
【技術分野】
【０００１】
本発明は、メニュー項目を有するドロップダウンメニューを表示器に表示するとともに、該ドロップダウンメニューから選択されたメニュー項目に対応するメニュー値を取得する処理をコンピュータに実行させるメニュー処理プログラムおよび情報処理装置およびそのメニュー処理方法に係わり、詳しくは、ドロップダウンメニューにメニュー項目の一つとして付箋を貼付できるようにしたメニュー処理プログラムおよび情報処理装置およびそのメニュー処理方法に関する。
【背景技術】
【０００２】
コンピュータ等の操作画面上で、項目の選択を行う方法の一つにドロップダウンメニュー（プルダウンメニューなどとも言う）による選択がある。ドロップダウンメニューは、普段は一行だけしか表示されないため、不必要なときには画面上のスペースをあまり使わないで済み非常に便利である（図１２（ａ）参照）。また、使用時にはマウス等でクリックすることで選択可能な項目の一覧を表示することができ、ユーザは、一覧表示された項目内から所望の項目を一つ選びメニュー項目の選択を行う（図１２（ｂ）参照）。
【０００３】
しかし、ドロップダウンメニュー上でメニュー項目を一覧表示した場合には、全ての項目が並列に表示されるため、項目数が多いと所望の選択項目が発見し辛く、操作性が悪くなるという問題があった。
【０００４】
そこで、この問題に対処するために、メニュー項目の表示順番を変更する技術がいくつか提案されている。例えば、特許文献１では、メニュー項目の利用回数に応じてメニュー項目の表示順番を変更することにより、利用回数の多いメニュー項目を一番選択し易い位置に表示する技術について言及されている。
【０００５】
また、特許文献２および特許文献３では、上述した特許文献１に開示される技術に加えてさらに、メニュー項目の使用履歴に基づいて次に利用される可能性の高いメニュー項目から順番に表示する技術について言及されている。
【特許文献１】特開平０３−１７７９７５号
【特許文献２】特開平０４−１８８３５６号
【特許文献３】特開平０３−１９１４１３号
【発明の開示】
【発明が解決しようとする課題】
【０００６】
しかしながら、上述した従来技術では、メニュー項目の利用回数や使用履歴に基づいてメニュー項目の表示順番を変更することで、操作性の悪さを解消しようとしているため、ある程度、コンピュータ上でメニュー操作を繰り返し行う必要がある。
【０００７】
そのため、コンピュータをたまにしか使わないユーザに対しては有用な技術ではなく、このようなユーザの操作性は依然悪いままであった。
【０００８】
また、メニュー項目によっては、曜日や時間、あるいは時期に応じて一時的に、利用頻度が急増するものもあれば、ある期間を過ぎると不必要になったり、ある期間だけ追加が必要なものもある。
【０００９】
しかし、従来ドロップダウンメニューを変更する場合には、一般に、管理者等にメニュー項目の変更を伝え、ドロップダウンメニューに関するシステムファイルを書き換えてもらう必要があった。このようにメニュー項目に変更がある場合には、それが一時的であっても、容易に変更ができなかったため、ドロップダウンメニューの運用性が悪かった。
【００１０】
そこで、本発明は上記問題点に鑑みてなされたものであり、ドロップダウンメニューの操作性と、運用性とを向上させるようにしたメニュー処理プログラムおよび情報処理装置およびメニュー処理方法を提供することを目的とする。
【課題を解決するための手段】
【００１１】
上記目的を達成するため、請求項１の発明は、メニュー項目を有するドロップダウンメニューを表示器に表示するとともに、該ドロップダウンメニューから選択されたメニュー項目に対応するメニュー値を取得する処理をコンピュータに実行させるメニュー処理プログラムであって、前記ドロップダウンメニューに貼付された付箋を該ドロップダウンメニューと関連付けてメニュー項目として記憶装置に登録する登録処理ステップと、前記登録処理ステップで前記ドロップダウンメニューと関連付けて登録された付箋を、該ドロップダウンメニューのメニュー項目として前記表示器に表示する表示処理ステップと、前記表示処理ステップで表示された前記付箋がメニュー項目として選択された場合には、該付箋に対応するメニュー値を取得するメニュー値取得処理ステップとを含むことを特徴とする。
【００１２】
また、請求項２の発明は、請求項１の発明において、前記表示処理ステップは、前記ドロップダウンメニューのメニュー項目を表示する場合には、前記関連付けられている付箋を該ドロップダウンメニューに貼付して表示し、該ドロップダウンメニューが閉じられた場合には、該付箋を非表示にすることを特徴とする。
【００１３】
また、請求項３の発明は、請求項１の発明において、前記登録処理ステップは、少なくともメニュー表示文字列、メニュー値、コメント情報を前記付箋の属性として前記記憶装置に登録し、前記表示処理ステップは、前記メニュー表示文字列とともに、前記コメント情報を前記付箋上に表示することを特徴とする。
【００１４】
また、請求項４の発明は、メニュー項目を有するドロップダウンメニューを表示器に表示するとともに、該ドロップダウンメニューから選択されたメニュー項目に対応するメニュー値を取得する情報処理装置において、前記ドロップダウンメニューに貼付された付箋を該ドロップダウンメニューと関連付けてメニュー項目として記憶装置に登録する登録処理手段と、前記登録処理手段で前記ドロップダウンメニューと関連付けて登録された付箋を、該ドロップダウンメニューのメニュー項目として前記表示器に表示する表示処理手段と、前記表示処理手段で表示された前記付箋がメニュー項目として選択された場合には、該付箋に対応するメニュー値を取得するメニュー値取得処理手段とを具備することを特徴とする。
【００１５】
また、請求項５の発明は、メニュー項目を有するドロップダウンメニューを表示器に表示するとともに、該ドロップダウンメニューから選択されたメニュー項目に対応するメニュー値を取得する情報処理装置のメニュー処理方法において、前記ドロップダウンメニューに貼付された付箋を該ドロップダウンメニューと関連付けてメニュー項目として記憶装置に登録処理手段で登録し、前記登録処理手段で前記ドロップダウンメニューと関連付けて登録された付箋を、該ドロップダウンメニューのメニュー項目として前記表示器に表示処理手段で表示し、前記表示処理手段で表示された前記付箋がメニュー項目として選択された場合には、該付箋に対応するメニュー値をメニュー値取得処理手段で取得することを特徴とする。
【発明の効果】
【００１６】
本発明によれば、ドロップダウンメニューに貼付された付箋を該ドロップダウンメニューと関連付けてメニュー項目として記憶装置に登録し、該関連付けて登録した付箋を、ドロップダウンメニューのメニュー項目として表示器に表示するとともに、該付箋がメニュー項目として選択された場合には、対応するメニュー値を取得するように構成したため、ドロップダウンメニューに貼付した付箋をメニュー項目の一つとして扱うことができるので、ドロップダウンメニューの操作性と、運用性とを向上させることができる。
【発明を実施するための最良の形態】
【００１７】
以下、この発明に係わるメニュー処理プログラムおよび情報処理装置およびそのメニュー処理方法の実施形態について添付図面を参照して詳細に説明する。
【実施例】
【００１８】
図１は、本発明の基本概念を示す図である。
【００１９】
同図（ａ）には、ドロップダウンメニューが設けられた操作画面が示され、このドロップダウンメニューには付箋が貼付されている。ここに貼付された付箋は「ｍｅｎｕ９」として機能し、この操作画面上からは、ドロップダウンメニューに予め設けられた「ｍｅｎｕ１〜ｍｅｎｕ８」に加え、「ｍｅｎｕ９」をメニュー項目として選択できることとなる。
【００２０】
この付箋は、ドロップダウンメニューに貼付されるため、メニューを閉じれば、同図（ｂ）に示すように、隠れて表示されず、操作画面上では普段通り選択されたメニュー項目（この場合、ｍｅｎｕ１）一行だけが表示されることになる。
【００２１】
また、この付箋には、「ｍｅｎｕ９」として機能するために、予めメニュー項目を構成するための情報、例えば、メニュー表示名（メニュー表示文字列）、メニュー値等の情報（属性）が設定されており、この付箋がメニュー項目として選択された場合には、図２（ｂ）に示すように、ドロップダウンメニューに予め設けられたメニュー項目と同様の表示が行われ、また、内部的な値（メニュー値）も「ｍｅｎｕ９」に対応する値に置き換わることになる。
【００２２】
なお、付箋が選択されたことを明示的に示すようにしてもよい。例えば、図３に示すように、付箋の背景色をそのまま引き継いで表示することで、付箋が選択されたことをユーザに明示的に示すことができる。
【００２３】
ここで、図１から図３で説明した本発明の基本概念を実現するための構成について説明する。図４は、本発明に係わる情報処理装置を適用したアプリケーションサーバ４０を配して構成したネットワークシステムの全体構成の一例を示す図である。
【００２４】
クライアント端末１０は、インターネット２０を介してＷｅｂサーバ３０と接続されており、ユーザは、このクライアント端末１０のブラウザ１１を通じてＷｅｂサーバ３０上で提供されるサービスやアプリケーション３１を利用（閲覧）することができる。このブラウザ１１にはレンダリング機能部１２が備わっており、ブラウザ１１は、かかる機能を用いてＨＴＭＬ文書などを解釈して画面上に画像化して各種情報を表示する。
【００２５】
Ｗｅｂサーバ３０には、ＨＴＭＬ（HyperText Markup Language）文書や画像などの情報が蓄積管理されており、ブラウザ１１を介したクライアント端末１０からのリクエストに応じ、これらの情報をインターネット２０を介して提供することになる。
【００２６】
このＷｅｂサーバ３０には、Ｗｅｂサーバ３０に代わってＣＧＩ（Common Gateway Interface）プログラム等を実行し、Ｗｅｂサーバ３０の処理負担を軽減させる役割を果たすアプリケーションサーバ４０が接続される。
【００２７】
アプリケーションサーバ４０には、さらにデータサーバ５０が接続されており、アプリケーションサーバ４０は、Ｗｅｂサーバ３０を介したクライアント端末１０からのリクエストに応じて、このデータサーバ５０で管理された情報をユーザに提供する。
【００２８】
このような構成の下、クライアント端末１０上から任意のユーザ操作を行うと、当該ユーザ操作に対応するリクエストが、インターネット２０を介してＷｅｂサーバ３０に発信される。
【００２９】
ここで、当該リクエスト内に「メニュー表示」が含まれる場合には、Ｗｅｂサーバ３０は、アプリケーションサーバ４０に対して「メニュー表示」のリクエストを渡す。これを受けたアプリケーションサーバ４０では、メニュー表示処理部４１を起動し、データサーバ５０上から対応するメニューデータインスタンス５１を取得する。
【００３０】
この取得したメニューデータインスタンス５１内には、付箋データを保持する付箋情報格納部５２と、メニュー項目データを保持するメニュー項目格納部５３とが含まれおり、アプリケーションサーバ４０では、この付箋情報格納部５２に格納されたデータを表示するための情報（表示データ）を付箋表示処理部４２で生成し、メニュー項目格納部５３に格納されたデータを表示するための情報（表示データ）をメニュー項目表示処理部４２で生成する。そして、この表示データをＷｅｂサーバ３０に返送する。
【００３１】
Ｗｅｂサーバ３０に渡された表示データは、さらにクライアント端末１０に渡され、このデータを受け取ったクライアント端末１０上のブラウザ１１では、これをレンダリングして表示する。これにより、ブラウザ１１上には、上記図１から図３で説明した操作画面が表示されることになる。
【００３２】
例えば、ここで、ブラウザ１１上に付箋が貼付された場合には、付箋を貼付したことを伝える情報が、インターネット２０ならびにＷｅｂサーバ３０を介して、アプリケーションサーバ４０に送られ、これを受けた付箋登録処理部４４により、データサーバ５０上の該当するメニューデータインスタンス５１内の付箋情報格納部５２のデータに、当該ドロップダウンメニューと関連付けて付箋データが登録されることになる。
【００３３】
また、ブラウザ１１上に表示された付箋に対して、ユーザが何らかの変更を加えた場合には、上記同様に、その旨を伝える情報がアプリケーションサーバ４０へと送られ、これを受けた付箋登録処理部４４により、データサーバ５０上から該当するメニューデータインスタンス５１内の付箋情報格納部５２のデータに対し、その変更が反映されることになる。
【００３４】
このようにして登録あるいは変更された付箋がメニュー項目として選択された場合には、他のメニュー項目と同様に、メニュー値取得処理部４５により当該付箋に対応するメニュー値が取得され、そのメニュー値に基づいた処理が行われることになる。
【００３５】
次に、図５を用いて、上記図１から図３で説明したメニューを表示するためのメニューオブジェクトのクラス図について説明する。なお、このメニューオブジェクトに実装される処理機能は、主にメニュー表示処理部４１により実行される。
【００３６】
「メニュー」クラスは、０か１個の「メニュー項目リスト」クラスおよび「付箋リスト」クラスと関連を持ち、この「メニュー項目リスト」クラスは、ドロップダウンメニューを描写するためのクラスであり、内部に０個以上の「メニュー項目」クラスのインスタンスを持つ。各「メニュー項目」クラスには、メニュー項目として表示されるときの表示名を保持する「メニュー表示名」と、当該メニュー項目が選択されたときに内部で扱われる値を保持する「メニュー値」とが格納される。
【００３７】
一方、「付箋リスト」クラスは、内部に０個以上の「付箋」クラスのインスタンスを持ち、各「付箋」クラスは、「メニュー表示名」、「メニュー値」および「表示するフラグ」を持つ。この「メニュー表示名」および「メニュー値」は、上述した「メニュー項目」クラスの「メニュー表示名」および「メニュー値」と同一の意味を持ち、「表示するフラグ」は、当該付箋を表示するか否かの情報を保持する。
【００３８】
ここで、図６を用いて、メニューを表示する際の流れについて説明する。
【００３９】
まず、「メニュー」クラスから「メニュー項目リスト」クラスの「ｗｒｉｔｅ（）」メソッドが呼び出され、画面上に、メニュー項目リストが表示される。このメニュー項目リストの表示後、「メニュー」クラスはさらに、「付箋リスト」クラスの「ｗｒｉｔｅ（）」メソッドを呼び出し、画面上に付箋を表示させる。
【００４０】
続いて「付箋リスト」クラスは、「付箋」クラスの「ｗｒｉｔｅ（レイヤー：ｉｎｔ）」メソッドを呼び出す。このとき、引数には、内部的に保持されるリストのインデックス番号を設定する。この上述した一連のメニュー表示シーケンスにより、ドロップダウンメニューのメニュー項目の一つとして付箋が貼付されたメニューが表示されることになる。
【００４１】
また、上記レイヤー番号は、付箋毎にそれぞれ異なり、そのレイヤー番号の大きいものほど、画面手前に表示され、画面後方にある別の付箋やメニュー項目の選択可能領域を奪うことになる。例えば、図７に示すように、付箋に割り当てられたレイヤー番号によって各付箋は、画面手前に表示されるかあるいは、後方に表示されるかされる。この図７に示す例では、「ｍｅｎｕ１０」より「ｍｅｎｕ１１」のレイヤー番号が大きく設定され、また「ｍｅｎｕ９」より「ｍｅｎｕ１２」のレイヤー番号が大きく設定されるため、「ｍｅｎｕ１１」は「ｍｅｎｕ１０」よりも手前に表示され、「ｍｅｎｕ１２」は「ｍｅｎｕ９」よりも手前に表示されている。
【００４２】
なお、付箋の移動は、マウスによりドラッグして動かすことで実現できるので、従来より一般的に行われる技術であるため、特に言及しない。また、付箋を剥がす操作は、対象の付箋上で右クリックを押下し、かかる押下に伴って表示されるメニューから剥がすを選択することで行う。
【００４３】
次に、図８から図１０を用いて、ドロップダウンメニューへの付箋の貼付方法について説明する。なお、ここでは、貼付方法の一例として、マウスを用いて付箋を貼付する場合の動作について説明する。
【００４４】
まず、図８に示すように、付箋の貼付を所望するドロップダウンメニューをクリックするなどして開く。この開いた状態で、右クリックし、そこから「付箋  新規作成」を選択、実行する。なお、「付箋  リストから追加」を選択、実行した場合には、予め作成された付箋を当該メニューに貼付できる。
【００４５】
この「付箋  新規作成」が選択実行されると、図９に示すように、付箋作成画面が起動する。付箋作成画面では、メニュー表示文字列、メニュー値および、コメント情報（フォントの種類、フォントサイズ、背景色）の入力設定が行える。そして、これらの所定事項を入力後、作成ボタンを押下すると、図１０に示すように、新たな付箋が作成され、メニュー上で右クリックされた位置に貼り付けられることになる。
【００４６】
この図１０に示すように、付箋作成画面でコメントに記載した内容は、付箋上に表示されるため、このコメント機能を用いることにより、コンピュータに不慣れなユーザに対してもメニュー項目の持つ意味をすぐに把握させることができるので、ユーザフレンドリーなメニューを提供することができる。
【００４７】
ここで、図１１を用いて、付箋を貼付する際の流れについて説明する。
【００４８】
まず、マウス等を用いたユーザ操作が行われると、操作画面上の位置情報のコンストラクタが呼び出され、初期化が行われる。また、「付箋新規作成」クラスの「付箋  新規作成（）」メソッドが呼び出されるとともに、「付箋」クラスの「作成（メニュー表示文字列，メニュー値，コメント情報）」メソッドが呼び出される。
【００４９】
その後、「付箋リスト」クラスの「ａｄｄ付箋（付箋：付箋）」メソッドが呼び出され、メニュー画面上に新たな付箋が作成されることになる。この上述した一連の付箋貼付シーケンスにより、ドロップダウンメニューにメニュー項目の一つとして付箋を貼付できることになる。
【００５０】
以上説明したように本発明においては、ドロップダウンメニューに貼付された付箋を当該ドロップダウンメニューと関連付けてメニュー項目として記憶装置に登録し、この関連付けて登録した付箋を、ドロップダウンメニューのメニュー項目として表示器に表示するとともに、当該付箋がメニュー項目として選択された場合には、対応するメニュー値を取得するように構成したため、ドロップダウンメニューに貼付した付箋をメニュー項目の一つとして扱うことができるので、ドロップダウンメニューの操作性と、運用性とを向上させることができる。
【００５１】
例えば、付箋によるメニュー項目は、ドロップダウンメニュー内の他のメニュー項目とは、明らかに異なって表示されるので、目立ち易く容易に発見することができ、さらにドロップダウンメニューを開かない限り表示されないため、不必要なときには画面上のスペースをあまり使わないで済むので煩わしさもない。このことから、操作性が向上するといえる。
【００５２】
また、付箋の中にコメントを書いた場合には、コンピュータに不慣れなユーザであってもメニュー項目の持つ意味をすぐに把握できるため、ユーザフレンドリーなメニューを提供することができる。
【００５３】
また、付箋を容易に貼ったり剥がしたりすることができるので、ある曜日や時間、あるいは特定の時期だけに限定してメニュー項目を追加したい場合にも、容易に対応することができ、ドロップダウンメニューの運用性が向上する。
【００５４】
また、上記実施例においては、本発明に係わる情報処理装置を適用したアプリケーションサーバ４０により本発明を実施する場合を説明したが、この処理をコンピュータにインストールされたメニュー処理プログラムにより実施するように構成してもよい。
【００５５】
この他、本発明は、上記および図面に示す実施例に限定することなく、その要旨を変更しない範囲内で適宜変形して実施できるものである。例えば、上記実施例においては、本発明をネットワークシステムにおいて実施する場合を説明したが、これはあくまで一例であり、本発明の機能が実行されるのであれば、特に適用対象は問わず、本発明を単体の装置やアプリケーション等に適用してもよい。
【産業上の利用可能性】
【００５６】
本発明のメニュー処理プログラムおよび情報処理装置およびメニュー処理方法は、コンピュータ等の操作画面上にドロップダウンメニューを表示するメニュー処理プログラム全般に適用可能であり、特に、ドロップダウンメニューの操作性と、運用性とを向上させることができる。
【図面の簡単な説明】
【００５７】
【図１】本発明の基本概念を示す図である（その１）。
【図２】本発明の基本概念を示す図である（その２）。
【図３】本発明の基本概念を示す図である（その３）。
【図４】本発明を適用して構成したネットワークシステムの全体構成の一例を示す図である。
【図５】メニューを表示するためのメニューオブジェクトのクラス図である。
【図６】メニューを表示する際の流れを示すシーケンス図である。
【図７】レイヤー番号を用いた付箋の表示方法の一例を示す図である。
【図８】ドロップダウンメニューへの付箋の貼付方法を説明する図である（その１）。
【図９】ドロップダウンメニューへの付箋の貼付方法を説明する図である（その２）。
【図１０】ドロップダウンメニューへの付箋の貼付方法を説明する図である（その３）。
【図１１】付箋を貼付する際の流れを示すシーケンス図である。
【図１２】ドロップダウンメニューの一例を示す図である（従来技術）。
【符号の説明】
【００５８】
１０    クライアント端末
１１    ブラウザ
１２    レンダリング機能部
２０    インターネット
３０    ｗｅｂサーバ
３１    ｗｅｂサーバアプリケーション
４０    アプリケーションサーバ
４１    メニュー表示処理部
４２    メニュー項目表示処理部
４３    付箋表示処理部
４４    付箋登録処理部
４５    メニュー値取得処理部
５０    データサーバ
５１    メニューデータインスタンス
５２    付箋情報格納部
５３    メニュー項目格納部
【図１】
2007141057.tif 000003
【図２】
2007141057.tif 000004
【図３】
2007141057.tif 000005
【図４】
2007141057.tif 000006
【図５】
2007141057.tif 000007
【図６】
2007141057.tif 000008
【図７】
2007141057.tif 000009
【図８】
2007141057.tif 000010
【図９】
2007141057.tif 000011
【図１０】
2007141057.tif 000012
【図１１】
2007141057.tif 000013
【図１２】
2007141057.tif 000014